(57)【要約】      （修正有）【課題】蛍光撮影途中で患者が交替した場合でも、静注開始からの計時を支障なく行うことのできる便利な蛍光撮影用眼底カメラ装置を提供する。【解決手段】蛍光撮影を行うための眼底カメラ本体と眼底カメラ本体に接続されて静注開始からの経過時間の計時を行う外部計時装置とを備え、蛍光撮影用眼底像を表示すると共に計時情報と患者情報とを表示するモニター４ａと、計時用スタートスイッチ８の操作に基づき外部計時装置に計時開始信号を送信する制御回路５とを有し、交替後の患者の計時を計時用スタートスイッチ８と共同して新たに開始させるための患者交替スイッチ１１と、最初の患者に戻って撮影を行うことを外部計時装置に認識させると共に、バックグラウンド動作により計時された交替後の患者の静注開始時点からの計時情報と患者情報とを制御回路５に向かって送信させることを外部計時装置に要請する復帰スイッチ１２とを有する。【選択図】図２
2009072266.tif 000002
【特許請求の範囲】
【請求項１】
蛍光撮影を行うための眼底カメラ本体と、該眼底カメラ本体に接続されて静注開始からの経過時間の計時を行う外部計時装置とを備え、
前記眼底カメラ本体は、患者への静注開始からの計時を行う計時用内部回路と、
前記計時用内部回路をリセットして患者への静注開始からの計時を開始させる計時用スタートスイッチと、
蛍光撮影用眼底像を表示すると共に計時情報と患者情報とを表示するモニターと、
前記計時用スタートスイッチの操作に基づき前記モニターに計時情報を表示させると共に前記外部計時装置に計時開始信号を送信する制御回路と、
患者の交替を前記外部計時装置に送信して該外部計時装置に交替前の患者の静注開始時点からの計時をバックグラウンド動作により続行させると共に前記外部計時装置に交替後の患者の計時を前記計時用スタートスイッチと共同して新たに開始させるための患者交替スイッチと、
最初の患者に戻って撮影を行うことを前記外部計時装置に認識させると共に、前記バックグラウンド動作により計時された交替後の患者の静注開始時点からの計時情報と患者情報とを前記制御回路に向かって送信させることを前記外部計時装置に要請する復帰スイッチとを有し、
前記制御回路は、前記バックグラウンド動作により計時された交替後の患者の静注開始時点からの計時情報と交替後の患者情報とを前記モニターに表示させることを特徴とする蛍光撮影用眼底カメラ装置。
【請求項２】
少なくとも二種類の異なる蛍光撮影選択スイッチを有することを特徴とする請求項１に記載の蛍光撮影用眼底カメラ装置。
【請求項３】
前記患者交替スイッチと前記復帰スイッチとが前記二種類の異なる蛍光撮影選択スイッチに兼用されていることを特徴とする請求項２に記載の蛍光撮影用眼底カメラ装置。
【発明の詳細な説明】
【技術分野】
【０００１】
本発明は、蛍光撮影用の眼底カメラ本体と、この眼底カメラ本体に接続されて静注開始からの経過時間の計時を行う外部計時装置とを有する蛍光撮影用眼底カメラ装置に関する。
【背景技術】
【０００２】
従来から、眼底カメラには、眼底カメラ本体に設置の専用の計時用内部回路（タイマー回路）と、眼底カメラ本体に接続された外部計時装置（外部タイマー装置）とを有するものが知られている（例えば、特許文献１参照。）。この従来の、眼底カメラでは、例えば、患者への蛍光剤の静注と同時に眼底カメラ専用の計時用スタートスイッチを操作し、この計時用スタートスイッチによる計時用内部回路の計時開始と同時に、外部計時装置の計時を開始させる構成となっている。
【特許文献１】特開平７−３６３号公報
【発明の開示】
【発明が解決しようとする課題】
【０００３】
しかしながら、蛍光撮影用の眼底カメラでは、蛍光撮影の途中で患者が交互に変わった場合、交替前の患者の計時用内部回路の計時情報はリセットされ、交替後の患者から新たに計時用内部回路の計時が開始されるため、交替前の患者に再び戻って蛍光撮影を行う場合、計時用内部回路の計時情報は再び「０秒」から開始され、静注開始からの経過時間をカウントすることができないという不都合がある。
【０００４】
本発明は、上記の事情に鑑みて為されたもので、その目的は、蛍光撮影途中で患者が交替した場合でも、静注開始からの計時を支障なく行うことのできる便利な蛍光撮影用眼底カメラ装置（蛍光撮影用眼底カメラシステム）を提供することにある。
【課題を解決するための手段】
【０００５】
請求項１に記載の蛍光撮影用眼底カメラ装置は、蛍光撮影を行うための眼底カメラ本体と、該眼底カメラ本体に接続されて静注開始からの経過時間の計時を行う外部計時装置とを備え、前記眼底カメラ本体は、患者への静注開始からの計時を行う計時用内部回路と、前記計時用内部回路をリセットして患者への静注開始からの計時を開始させる計時用スタートスイッチと、蛍光撮影用眼底像を表示すると共に計時情報と患者情報とを表示するモニターと、前記計時用スタートスイッチの操作に基づき前記モニターに計時情報を表示させると共に前記外部計時装置に計時開始信号を送信する制御回路と、患者の交替を前記外部計時装置に送信して該外部計時装置に交替前の患者の静注開始時点からの計時をバックグラウンド動作により続行させると共に前記外部計時装置に交替後の患者の計時を前記計時用スタートスイッチと共同して新たに開始させるための患者交替スイッチと、最初の患者に戻って撮影を行うことを前記外部計時装置に認識させると共に、前記バックグラウンド動作により計時された交替後の患者の静注開始時点からの計時情報と患者情報とを前記制御回路に向かって送信させることを前記外部計時装置に要請する復帰スイッチとを有し、前記制御回路は、前記バックグラウンド動作により計時された交替後の患者の静注開始時点からの計時情報と交替後の患者情報とを前記モニターに表示させることを特徴とする。
【０００６】
請求項２に記載の蛍光撮影用眼底カメラ装置は、少なくとも二種類の異なる蛍光撮影選択スイッチを有することを特徴とする。
【０００７】
請求項３に記載の蛍光撮影用眼底カメラ装置は、前記患者交替スイッチと前記復帰スイッチとが前記二種類の異なる蛍光撮影選択スイッチに兼用されていることを特徴とする。
【発明の効果】
【０００８】
本発明に係わる蛍光撮影用眼底カメラ装置によれば、蛍光撮影途中で患者が交替した場合でも、静注開始からの計時を支障なく行うことができる。
【発明を実施するための最良の形態】
【０００９】
以下に、本発明に係わる蛍光撮影用眼底カメラ装置の発明の実施の形態を図面を参照しつつ説明する。
【実施例】
【００１０】
図１は本発明に係わる蛍光撮影用眼底カメラ装置の一実施例を示す概要図である。その図１において、１は蛍光撮影用眼底カメラ本体、２は外部計時装置としてのパーソナルコンピュータである。
【００１１】
蛍光撮影用眼底カメラ本体１は、ベース２と、ベース２に対して前後左右に移動可能な架台３と、架台３と一体の本体部４とから大略構成されている。本体部４には眼底を撮影するための撮影光学系（図示を略す）が内蔵されている。架台３には、図２に示す制御回路５が内蔵されていると共に、図１に示すように、ジョイスティック６が設けられている。このジョイスティック６には撮影スイッチ６ａが設けられている。この蛍光撮影用眼底カメラ本体１は、ここでは、二種類の異なる蛍光撮影選択スイッチを有している。
【００１２】
制御回路５には、計時用内部回路（タイマー回路）７が設けられている。本体部４には図１に示すようにモニター４ａが設けられ、計時用内部回路７はモニター４ａに患者情報と計時情報とを送信し、モニター４ａには患者情報と計時時刻とが表示されると共に、蛍光眼底像が表示される。この蛍光眼底像は、撮影スイッチ６ａの操作により制御回路５を介して患者情報、計時時刻と共に記録装置７’に記録される。なお、制御回路５には、蛍光撮影を行うのに必要な各種の回路構成要素、各種スイッチ、発光素子、受光素子等の光学要素、機械制御要素等が接続されているが、この発明の説明に関係しない各構成要素については、図示が省略されている。
【００１３】
架台３には計時用スタートスイッチ８、可視蛍光選択スイッチ（ＦＡスイッチ）９、赤外蛍光選択スイッチ（ＩＡスイッチ）１０、患者交替スイッチ１１、復帰スイッチ１２が設けられている。
【００１４】
計時用スタートスイッチ８を操作すると制御回路５の制御により計時用内部回路７がリセットされた後に計時を開始する。可視蛍光選択スイッチ（ＦＡスイッチ）９を操作すると、制御回路５の制御により、蛍光撮影用眼底カメラ本体１は可視蛍光撮影準備態勢にセットされる。赤外蛍光選択スイッチ１０を操作すると、蛍光撮影用眼底カメラ本体１は赤外蛍光撮影（ＩＣＧ撮影）準備態勢にセットされる。
【００１５】
患者交替スイッチ１１が操作されると、制御回路５は患者交替情報をパーソナルコンピュータ２に向かって出力する。パーソナルコンピュータ２は、パーソナルコンピュータ本体部２Ａとモニター部２Ｂとを有する。パーソナルコンピュータ本体部２Ａには、ハードディスク、メモリ等が内蔵されている。パーソナルコンピュータ本体部２Ａと制御回路５とはインターフェースケーブル１３を介して接続されている。
【００１６】
そのパーソナルコンピュータ本体部２Ａには、計時情報制御用のソフトウエアプログラムが内蔵されている。
【００１７】
そのソフトウエアプログラムの詳細は、以下に、説明する作用を実現可能に構築されている。
【００１８】
以下、本発明に係わる蛍光撮影用眼底カメラ装置の作用を図３を参照しつつ説明する。
【００１９】
蛍光撮影用眼底カメラ本体１、パーソナルコンピュータ２は電源がオンされているものとする（Ｓ．１）。可視蛍光撮影を行う場合、可視蛍光選択（ＦＡ）スイッチ９をオンする（Ｓ．２）。ついで、可視蛍光剤を患者Ａに静注すると同時に、計時用スタートスイッチ８を操作する（Ｓ．３）。
【００２０】
これにより、計時用内部回路７が制御回路５の制御により計時を開始する。と同時に、計時開始信号が制御回路５からパーソナルコンピュータ本体部２に送信される。モニター４ａには、計時用内部回路７の計時情報が制御回路５を介して送信され、モニター４ａに時刻が表示される。また、パーソナルコンピュータ本体部２Ａも計時を開始し、計時情報がモニター部２Ｂに表示される（Ｓ．４）。その際、パーソナルコンピュータ本体部２Ａは仮の患者情報を付加する。ここでは、第１番目の撮影患者という意味で、符号「Ａ」と表示される。
【００２１】
撮影スイッチ６ａを操作すると、制御回路５の指令に基づき可視蛍光撮影が実行され（Ｓ．５）、記録装置７’に計時時刻と眼底像とが記録されると共に、モニター４ａに一定時間表示される。
【００２２】
図４はそのモニター４ａに表示された可視蛍光眼底像Ｇと計時時刻（撮影時刻）とを表示している。ついで、制御回路５は患者の交替があったか否かを判断する（Ｓ．６）。患者の交替がない場合には、Ｓ．５、Ｓ．６の処理が繰り返し行われる。
【００２３】
患者交替スイッチ１１が操作されると、患者交替情報がパーソナル本体部２Ａに向かって送信される。パーソナルコンピュータ本体部２Ａはこの患者交替情報に基づいて、バックグラウンド動作に移行して、患者Ａの計時を続行すると共に、交替後の患者の計時準備態勢にセットされる。患者Ａの情報と患者Ａの計時情報とは、モニター部２Ｂに続行して表示される。
【００２４】
可視蛍光剤を患者Ｂに静注すると同時に、計時用スタートスイッチ８を操作すると、計時用内部回路７が制御回路５の制御によりリセットされて「０秒」からの計時を開始する。と同時に、計時開始信号が制御回路５からパーソナルコンピュータ本体部２Ａに送信される。モニター４ａには、計時用内部回路７の計時情報が制御回路５を介して送信され、モニター４ａに時刻が表示される。また、パーソナルコンピュータ本体部２Ａも患者Ｂについての計時を開始し、患者Ｂについての計時情報がモニター部２Ｂに表示される（Ｓ．４）。その際、パーソナルコンピュータ本体部２Ａは仮の患者情報を付加する。ここでは、第２番目の撮影患者という意味で、符号「Ｂ」と表示される。
【００２５】
患者交替スイッチ１１と計時用スタートスイッチ８とを操作すると、パーソナルコンピュータ本体部２Ａはバックグラウンド動作に移行して、交替前の各患者の計時を続行すると共に、交替後の患者の計時準備態勢にセットされる。ついで、復帰スイッチ１２が操作されたか否かが判断される（Ｓ．７）。
【００２６】
復帰スイッチ１２が操作されていないときには、Ｓ．２〜Ｓ．７の処理が繰り返し行われるため、原理的には三人以上の患者の蛍光眼底撮影を行うことができる。その図１において、符号「Ｃ」は第３番目の撮影患者という意味である。
【００２７】
患者交替スイッチ１１と復帰スイッチ１２とが操作されると、パーソナルコンピュータ本体部２Ａは第１番目の患者Ａに戻ったと認識する。パーソナルコンピュータ本体部２Ａには、復帰スイッチ２Ａが操作されると、インタフェースケーブル１３を介して制御回路５に第１番目の患者Ａの情報と患者Ａの静注開始時点からの計時情報とが送信される。計時用内部回路７は、制御回路５の制御により、パーソナルコンピュータ本体部２Ａから送信された第１番目の患者Ａの静注開始時点からの計時情報に基づき計時を続行する。モニター４ａには、制御回路５の制御により、第１番目の患者Ａの情報と患者Ａの静注開始時点からの計時情報とが表示される（Ｓ．８）。
【００２８】
この第１番目の患者Ａに戻って蛍光眼底撮影を行った後、再度、患者交替スイッチ１１と復帰スイッチ１２とが操作されると、インタフェースケーブル１３を介して制御回路５に第２番目の患者Ｂの静注開始時点からの計時情報とが送信される。計時用内部回路７は、制御回路５の制御により、パーソナルコンピュータ本体部２Ａから送信された第２番目の患者Ｂの静注開始時点からの計時情報に基づき計時を続行する。モニター４ａには、制御回路５の制御により、第２番目の患者Ｂの情報と患者Ｂの静注開始時点からの計時情報とが表示される。
【００２９】
この繰り返しにより、患者の交替毎の患者情報と静注開始時点からの計時情報とがモニター４ａに表示されると共に、この情報に基づき、患者毎の蛍光眼底撮影が行われる。
【００３０】
従って、蛍光撮影の途中で患者が交替した場合でも、支障なく各患者についての蛍光撮影を行うことができる。ついで、電源がオフされた場合（Ｓ．９）には、撮影を終了する。
【００３１】
この実施例では、可視蛍光撮影についての患者同士の交替の場合について説明したが、赤外蛍光選択（ＩＡ）スイッチ１０をオンし、赤外蛍光剤（ＩＣＧ）を患者Ａに静注すれば、赤外蛍光撮影についての患者同士の交替の場合についても同様に行うことができる。また、可視蛍光撮影と赤外蛍光撮影とについての患者の交替の場合も同様である。
【００３２】
例えば、赤外蛍光撮影を行う場合、赤外蛍光選択（ＩＡ）スイッチ１０をオンする。ついで、赤外蛍光剤（ＩＣＧ）を患者Ａに静注すると同時に、計時用スタートスイッチ８を操作する。
【００３３】
これにより、計時用内部回路７が制御回路５の制御により計時を開始する。と同時に、計時開始信号が制御回路５からパーソナルコンピュータ本体部２に送信される。モニター４ａには、計時用内部回路７の計時情報が制御回路５を介して送信され、モニター４ａに時刻が表示される。また、パーソナルコンピュータ本体部２Ａも計時を開始し、計時情報がモニター部２Ｂに表示される。その際、パーソナルコンピュータ本体部２Ａは仮の患者情報を付加する。ここでは、第１番目の撮影患者という意味で、符号「Ａ」と表示される。
【００３４】
撮影スイッチ６ａを操作すると、制御回路５の指令に基づき赤外蛍光撮影が実行され、記録装置７’に計時時刻と赤外蛍光眼底像とが記録されると共に、モニター４ａに一定時間表示される。
【００３５】
患者交替スイッチ１１が操作されると、患者交替情報がパーソナル本体部２Ａに向かって送信される。パーソナルコンピュータ本体部２Ａはこの患者交替情報の入力に基づいて、バックグラウンド動作に移行して、患者Ａの計時を続行すると共に、交替後の患者の計時準備態勢にセットされる。患者Ａの情報と患者Ａの計時情報とは、モニター部２Ｂに続行して表示される。
【００３６】
可視蛍光剤を患者Ｂに静注すると同時に、計時用スタートスイッチ８を操作すると、計時用内部回路７が制御回路５の制御によりリセットされて「０秒」からの計時を開始する。と同時に、計時開始信号が制御回路５からパーソナルコンピュータ本体部２Ａに送信される。モニター４ａには、計時用内部回路７の計時情報が制御回路５を介して送信され、モニター４ａに時刻が表示される。また、パーソナルコンピュータ本体部２Ａも患者Ｂについての計時を開始し、患者Ｂについての計時情報がモニター部２Ｂに表示される。その際、パーソナルコンピュータ本体部２Ａは仮の患者情報を付加する。ここでは、第２番目の撮影患者という意味で、符号「Ｂ」と表示される。
【００３７】
このように、赤外蛍光選択スイッチ（ＩＡ）１０の機能は、計時制御に関する限り可視蛍光選択スイッチ（ＦＡ）９の機能と同一であり、患者交替スイッチ１１の機能も可視蛍光撮影時と同様であり、復帰スイッチ１２の機能も可視蛍光撮影時と同様である。
【００３８】
この実施例では、以上説明したように構成したので、蛍光撮影途中で、患者が交替した場合でも、効率よく蛍光撮影を行うことができるという効果を奏する。
【００３９】
なお、患者の人数が二人で、可視蛍光眼底撮影と赤外蛍光撮影とを行う場合には、必ずしも、患者交替スイッチ１１と復帰スイッチ１２とは必要ではなく、両機能をＦＡスイッチ９とＩＡスイッチ１０とに担わせることもできる。
【図面の簡単な説明】
【００４０】
【図１】本発明に係わる蛍光撮影用眼底カメラ装置の一実施例を示す概要図である。
【図２】本発明に係わる蛍光撮影用眼底カメラ装置の一実施例を示すブロック回路図である。
【図３】本発明に係わる蛍光撮影用眼底カメラ装置の一実施例を示すフローチャート図である。
【図４】図１に示すモニターに表示された蛍光眼底像と計時情報とを示す説明図である。
【符号の説明】
【００４１】
５…制御回路
７…計時用内部回路
８…計時用スタートスイッチ
１１…患者交替スイッチ
１２…復帰スイッチ
【図１】
2009072266.tif 000003
【図２】
2009072266.tif 000004
【図３】
2009072266.tif 000005
【図４】
2009072266.tif 000006